(57)【要約】【課題】線香の燃えカスを簡単に捨てることができ、様々な香炉の大きさに適用することができる。【解決手段】線香を立てて収容し得る有底の内筒部２と、この内筒部２を着脱自在に挿入し得るやや大径の外筒部１とからなる内外二重筒の線香立て４であって、外筒部の外周につば状安定板を備えた。また内外二重筒の線香立て４を少なくとも３個備え、各外筒部１を伸縮可能な連結部材５を介して相互に連結することによって、複数の連立形線香立てを構成した。さらに外筒部の底部を尖鋭な紡錘形とした。【選択図】図７
0003103030.tif 000002
【実用新案登録請求の範囲】
【請求項１】
線香を立てて収容し得る有底の内筒部（２）と、この内筒部（２）を着脱自在に挿入し得るやや大径の外筒部（１）とからなる内外二重筒の線香立てであって、外筒部の外周につば状安定板（３）を備えたことを特徴とする線香立て器具。
【請求項２】
請求項１の二重筒線香立て（４）を少なくとも３個備え、前記各外筒部を伸縮可能な連結部材（５）を介して相互に連結することによって、複数の連立形線香立てを構成したことを特徴とする線香立て器具。
【請求項３】
前記外筒部の底部（１１）を尖鋭な紡錘形としたことを特徴とする請求項１又は２に記載の線香立て器具。
【考案の詳細な説明】
【技術分野】
【０００１】
本考案は、香炉などに設ける線香立て器具に関するものである。
【背景技術】
【０００２】
法要などで用いられる線香は、通常点火したのち香炉内に充填された灰に差し込んだ状態で使用される。しかし、香炉内に植設された線香は、単に灰に差し込まれているだけなので倒れ易く、又倒れ難くするために灰の深くまで線香を挿入した場合には、燃焼できない部分が増大し無駄が多くなる。これらの問題を解消すべく、特許文献１によれば、網状体と、この網状体の下部に設けられた脚部とを有する線香立て器具が提供されている。この線香立て器具は、香炉内の灰の中に埋設して使用するものであって、網状体の網目部分に、線香を挿入して保持させるものである。この線香立て器具によれば、線香を確実に直立状態に保持することができ、又線香が倒れて燃焼するなどの危険性はない。
【特許文献１】実開平６−２９４７９号公報
【考案の開示】
【考案が解決しようとする課題】
【０００３】
しかし、この線香立て器具でも、線香は灰内に挿入されるので、この挿入された部分は燃焼されず、燃えカスが灰内に残る。そのため、香炉を清掃する際、この燃えカスを指で摘んで捨てる必要があるので、手が汚れ不衛生である。
【０００４】
この考案は、前記した種々の問題点を解決するため、燃えカスが香炉内に残らず衛生的であって、種々の香炉の大きさに適合可能な携帯性に優れた線香立て器具を提供するもので、特に寺院などで法要に使われる比較的大型の香炉に適応するものである。
【課題を解決するための手段】
【０００５】
本考案に係る線香立て器具は、線香を立てて収容し得る有底の内筒部と、この内筒部を着脱自在に挿入し得るやや大径の外筒部とからなる内外二重筒の線香立てであって、外筒部の外周につば状安定板を備えたことを特徴とする。
【０００６】
更に第２の考案として、二重筒線香立てを少なくとも３個備え、各外筒部を伸縮可能な連結部材を介して相互に連結することによって、複数の連立形線香立てを構成した線香立て器具を提供する。
【０００７】
好ましくは、外筒部の底部を尖鋭な紡錘形としても良い。
【考案の効果】
【０００８】
本考案の線香立て器具は、線香を保持する部分が内外の二重筒状体で構成され、外側の筒状体は安定板を介して香炉内に垂直に安定的に植設する機能を備え、内側の筒状体は１本ないし複数本の線香を点火した状態でこれを略垂直に保持する機能をもたせるようにしたので、線香の燃えカスはこの内側筒状体だけに残り、香炉内に埋没することはない。又外筒部は香炉内に垂直に埋設させておけるので、線香が倒れて火災が生じるということがなく、安全である。更に、線香の燃えカスが、内筒部の内部に残るので、清掃をする際、内筒部を外筒部から抜き取るだけで簡単に燃えカスを捨てることができ、香炉の灰が手につくことがなく非常に衛生的である。又、内筒部を洗浄するだけで簡単に清掃することができる。
【０００９】
連立形線香立てによれば、伸縮自在な連結部材を備えているので、香炉の大きさに合わせて線香を立てる位置を調整することができ、極めて利便性が優れている。又、連結部材を縮めることによって、線香立て器具をコンパクトにすることができるので、ポケットなどに収納して持ち運びができ、優れた携帯性も有する。
【考案を実施するための最良の形態】
【００１０】
以下、添付図面に基づいて、本考案について詳細に説明する。
【００１１】
図１乃至図３は、本考案に係る線香立て器具の第１実施例を説明するための図である。図１は、外筒部と内筒部とを分離した状態を示す断面図である。図２は、外筒部を内筒部に嵌装した状態を示す全体図であって、図２Ａは正面図、図２Ｂは平面図である。図３は、この線香立て器具を使用した状態を示す断面図である。
【００１２】
図１及び図２の如く、この線香立て器具は、外筒部１と内筒部２を備えている。外筒部１は、円筒状をなしており、収納部１０が内部に設けられ、尖鋭な紡錘形の底部１１が下部に突出して設けられている。内筒部２も、内部に挿入部２０を有する円筒状をなしており、下部にはプレート状の底部２１が設けられている。外筒部１の収納部１０は、内筒部２を着脱自在に挿入し得るよう形成されている。図２の如く、内筒部２は、外筒部１の収納部１０に嵌装されたとき、内筒部２の上部２ａが、外筒部１より上方に突出するよう形成され、外筒部１と内筒部２とにより内外二重筒線香立て４を構成する。そして、外筒部１の上部外周には、つば状の安定板３が設けられている。この安定板３は、円形に限らず多角形などであってもよく、又プレート状にも限られない。
【００１３】
この線香立て器具を使用する際は、内筒部２を、外筒部１の収納部１０に嵌装する。そして、図３の如く、外筒部１を略垂直にした状態で、香炉８内の灰９に差し込む。その際、外筒部１の底部１１が、尖鋭状になっているので、外筒部１を容易に灰９に挿入することができる。そして、安定板３が、灰９内に埋設するように、外筒部１を植設させる。安定板３は、外筒部１に対して略直角に設けられているので、外筒部１を略垂直にすることにより、安定板３は略水平になる。このように、プレート状の安定板３を水平にした状態で、灰９内に埋設させて設置することにより、外筒部１が容易に傾斜しない。
【００１４】
又、外筒部１の収納部１０に、灰９が侵入しないように、外筒部１の上部１ａを、灰９の上面９ａより突出させる。そして、内筒部２の挿入部２０に、線香７を収容して底部２１に立てることにより、線香７を直立した状態に保持することができる。この状態で、線香７を使用することができるので、線香７の転倒を防ぎ、火事の発生を防止することができる。それにより、線香７は、挿入部２０内で自然に消火するので、線香７の燃えカスを、挿入部２０内に保持することができる。そして、新たに線香７を立てる際や、この線香立て器具を清掃する際には、内筒部２の上部２ａを指で摘むことにより、内筒部２を、外筒部１から抜き取ることができるので、手を汚すことなく、簡単に線香７の燃えカスを除去することができる。
【００１５】
次に、本考案に係る線香立て器具の第２実施例を、図４乃至図７に基づいて説明する。図４は、第２実施例の線香立て器具を示す正面図である。図５Ａは、図４の平面図であり、図５Ｂは、図４の底面図である。図６は、図４及び図５のＩ−Ｉ線断面図である。図７は、この線香立て器具を使用した状態を示す断面図である。
【００１６】
図４乃至図６の如く、この線香立て器具は、前記した二重筒線香立て４を３個備えており、これら二重筒線香立て４，４’，４’’を、連結部材５を介して連結した複数の連立形線香立てを構成する。中央に配された二重筒線香立て４は、他の二重筒線香立て４’，４’’に比して大きく形成されており、太い線香を収納し得るよう形成されている。
【００１７】
連結部材５は、長方形のベース板５１を備えており、このベース板５１の中央に、二重筒線香立て４の外筒体１が取り付けられている。このベース板５１は、二重筒線香立て４に対して略直角に設けられており、図４及び図５の如く、レール部５１ａ，５１ａ’が、二重筒線香立て４を挟んで、ベース板５１の長さ方向の両側に設けられており、各レール部５１ａ，５１ａ’は、図６の如く、一対の断面コ字部を互いに対向して形成されている。
【００１８】
更に、連結部材５は、ベース板５１の両側に配置された長方形のスライド板５０，５０’を備えており、このスライド板５０，５０’の一方側に、二重筒線香立て４’，４’’が設けられている。図６の如く、各スライド板５０，５０’は、ベース板５１のレール部５１ａ，５１ａ’に係合されているので、このレール部５１ａ，５１ａ’に沿ってスライド板５０，５０’を摺動可能なよう構成されている。スライド板５０，５０’の他方側には、ボルト部５２，５２’が設けられており、図６の如く、このボルト部５２は、後述するベース板５１の溝部５１ｂを通じて、ベース板５１の下面５１ｃから突出するよう設けられている。
【００１９】
前記溝部５１ｂ，５１ｂ’は、二重筒線香立て４を挟んで、ベース板５１の長さ方向の両側に設けられており、図６の如く、ボルト部５２，５２’より若干幅広に形成されている。そして、ボルト部５２，５２’の突出部には、ナット部５３，５３’が設けられている。各溝部５１ｂ，５１ｂ’は、ベース板５１の長さ方向に沿って細長く形成されており、この長さ距離Ｌ，Ｌ’だけスライド板５０，５０’が摺動する。即ち、スライド板５０，５０’に固着されたボルト部５３，５３’が、溝部５１ｂ，５１ｂ’に挿通して配置されているので、スライド板５０，５０’は溝部５１ｂ，５１ｂ’に沿って移動することになる。
【００２０】
そして、図６の如く、溝部５１ｂよりも大きなナット部５３を、ボルト部５２の突出部５２ａに設けることにより、スライド板５０を、所望の位置で停止することができる。つまり、ナット部５３，５３’を緩めた状態で、スライド板５０，５０’を移動させ、所望の位置でナット部５３，５３’を締めることにより、スライド板５０，５０’とナット部５３，５３’とがベース板５１を挟み、それによって、スライド板５０，５０’の移動を停止させることができる。その際、図５Ａの如く、スライド板５０，５０’の上面に設けた目盛り５０ａ，５０ａ’を基準として、スライド板５０，５０’の位置を調整することができる。
【００２１】
第２実施例の線香立て器具によれば、各二重筒線香立て４，４’，４’’を連結する連結部材５が伸縮可能であるので、各二重筒線香立て４，４’，４’’を自在に配置することができる。従って、この線香立て器具を使用する際には、図７の如く、香炉８の大きさに合わせて連結部材５を伸縮することにより、各二重筒線香立て４，４’，４’’を配置し、香炉８内の灰９に植設することができる。その際、連結部材５を、灰９内に埋設すれば外観を損なうおそれもない。
【００２２】
前記した実施例は、二重筒線香立て４を３個備えたものであるが３個以上備えてもよく、多数の二重筒線香立て４を備えることにより、大きな香炉に多くの線香立て４を植設することができるので、一度に多数の参拝者が線香を立てることができる。又、連結部材５を、「十」状あるいは「＊」状などの交叉状に形成することにより、香炉の周りに沿って線香立て４を配置することができるので、参拝者はいろいろな方向から線香を立てることができる。
【図面の簡単な説明】
【００２３】
【図１】線香立て器具の第１実施例であって、外筒部と内筒部とを分離した状態を示す断面図である。
【図２】第１実施例の線香立て器具を示す全体図であって、図２Ａは正面図、図２Ｂは平面図である。
【図３】第１実施例の線香立て器具を使用した状態を示す断面図である。
【図４】線香立て器具の第２実施例を示す正面図である。
【図５】図５Ａは、図４の平面図であり、図５Ｂは、図４の底面図である。
【図６】図４及び図５のＩ−Ｉ線断面図である。
【図７】第２実施例の線香立て器具を使用した状態を示す断面図である。
【符号の説明】
【００２４】
１  外筒部
２  内筒部
３  安定板
４  本体部
５  連結部材
７  線香
８  香炉
１１  外筒部の底部
２１  内筒部の底部
５０  スライド板
５１  ベース板
５１ａ  レール部
５２  ボルト部
５３  ナット部
【図１】
0003103030.tif 000003
【図２】
0003103030.tif 000004
【図３】
0003103030.tif 000005
【図４】
0003103030.tif 000006
【図５】
0003103030.tif 000007
【図６】
0003103030.tif 000008
【図７】
0003103030.tif 000009